(57)【要約】【課題】  表示手段に表示させる画像をズームイン／ズームアウトさせる場合の操作性が良好である二輪車用視認装置を提供する。【解決手段】  表示手段１３は、撮像手段１０で撮像した撮像範囲の一部を切り出した表示範囲を表示する。操作手段１１は、上下及び左右に操作可能な操作部３５を備える。制御手段１２は、操作部３５が左側または右側に操作されたときに方向指示器１４Ｌ，１４Ｒを点滅させると共に、操作部３５が上側または下側に操作されたとき、前記表示手段１３に表示される画像をズームインまたはズームアウトさせる。制御手段１２は、操作部３５が左側に操作されたとき、二輪車の左後方を前記表示手段１３に表示させ、操作部３５が右側に操作されたとき、二輪車の右後方を表示手段１３に表示させる。【選択図】図１
2008284956.tif 000002
【特許請求の範囲】
【請求項１】
撮像手段と、前記撮像手段で撮像した撮像範囲の一部を切り出した表示範囲を表示する表示手段と、上下及び左右に操作可能な操作部を備えた操作手段と、前記操作部が左側または右側に操作されたときに方向指示器を点滅させると共に、前記操作部が上側または下側に操作されたときに前記表示範囲を変更する制御手段と、を有することを特徴とする二輪車用視認装置。
【請求項２】
前記制御手段は、前記操作部が上側または下側に操作されたとき、前記表示手段に表示される画像をズームインまたはズームアウトさせることを特徴とする請求項１に記載の二輪車用視認装置。
【請求項３】
前記制御手段は、前記操作部が左側に操作されたとき、二輪車の左後方を前記表示手段に表示させ、前記操作部が右側に操作されたとき、前記二輪車の右後方を前記表示手段に表示させることを特徴とする請求項１に記載の二輪車用視認装置。
【請求項４】
前記撮像手段は、全方位視覚センサであることを特徴とする請求項１に記載の二輪車用視認装置。
【発明の詳細な説明】
【技術分野】
【０００１】
本発明は、二輪車の周辺を監視する二輪車用視認装置に関するものである。
【背景技術】
【０００２】
従来より、二輪車の後方を撮像カメラにて監視する二輪車用視認装置が種々提案されている（特許文献１参照）。斯かる二輪車用視認装置は、運転者が直視できない領域を撮像カメラにて撮像し、前記撮像カメラで撮像された画像を車載表示器に表示するものである。また、二輪車用視認装置において、車載表示器に表示する画像をズームイン／ズームアウトさせることによって、視認性を向上させることが提案されており、例えば特許文献２に開示されている。
通常、二輪車の運転者は両手でハンドルを握っているため、車載表示器に表示させる画像をズームイン／ズームアウトさせる操作レバーは、ハンドルを握ったまま左手または右手の親指で操作できる位置に設けられていることが望ましい。
【特許文献１】特開２００６−１３１２１３号公報
【特許文献２】特開２００１−１０５９７３号公報
【発明の開示】
【発明が解決しようとする課題】
【０００３】
しかしながら、二輪車の運転者がハンドルを握ったまま親指で操作できる位置には、前照灯を点灯させるためのスライドスイッチ，方向指示器を点滅させるための操作レバー，ホーンを鳴らすための押ボタン等が配設されているため、車載表示器に表示させる画像をズームイン／ズームアウトさせるための操作レバーは操作し難い位置に配置されているという問題を有していた。
本発明は、この問題に鑑みなされたものであり、表示手段に表示させる画像をズームイン／ズームアウトさせる場合の操作性が良好である二輪車用視認装置を提供するものである。
【課題を解決するための手段】
【０００４】
本発明は、請求項１に記載したように、撮像手段１０と、前記撮像手段１０で撮像した撮像範囲の一部を切り出した表示範囲を表示する表示手段１３と、上下及び左右に操作可能な操作部３５を備えた操作手段１１と、前記操作部３５が左側または右側に操作されたときに方向指示器１４Ｌ，１４Ｒを点滅させると共に、前記操作部３５が上側または下側に操作されたときに前記表示範囲を変更する制御手段１２と、を有するものである。
【０００５】
また、本発明は、請求項２に記載したように、前記制御手段１２は、前記操作部３５が上側または下側に操作されたとき、前記表示手段１３に表示される画像をズームインまたはズームアウトさせるものである。
【０００６】
また、本発明は、請求項３に記載したように、前記制御手段１２は、前記操作部３５が左側に操作されたとき、二輪車の左後方を前記表示手段１３に表示させ、前記操作部３５が右側に操作されたとき、前記二輪車の右後方を前記表示手段１３に表示させるものである。
【０００７】
また、本発明は、請求項４に記載したように、前記撮像手段１０は、全方位視覚センサであるものである。
【発明の効果】
【０００８】
方向指示器を点滅させる操作部にて、表示手段に表示させる画像をズームイン／ズームアウトさせることができ、操作性が良好となる。
【発明を実施するための最良の形態】
【０００９】
以下、添付の図面に基づいて、本発明の一実施形態について説明する。図１は、二輪車用視認装置の電気的構成を示すブロック図である。二輪車用視認装置は、視覚センサ１０と、操作器１１と、制御部１２と、表示器１３と、左側ウインカー１４Ｌと、右側ウインカー１４Ｒと、を備えている。
【００１０】
図２は、視覚センサ１０の断面図である。視覚センサ１０は、光学部材２１と、ケース体２２と、撮像素子２３と、回路基板２４と、反射層２５とを有する全方位視覚センサからなるものである。
光学部材２１は、中実な透光性樹脂（例えばポリカーボネート）からなるものであり、入光部２６及び導光部２７を有している。光学部材２１の入光部２６は、周囲光Ｌが入射する入射面２６ａと、双曲面形状の凹部２６ｂとを有している。
【００１１】
光学部材２１の凹部２６ｂには、アルミニウム（Ａｌ）からなる反射層２５が形成されている。反射層２５は、蒸着等の方法によって凹部２６ｂにコーティングされてなるものである。
光学部材２１の導光部２７は、反射層２５で反射された周囲光Ｌを撮像素子２３に導くものであり、略円柱形状になっている。導光部２７は、円筒形状の外周面２７ａと、撮像素子２３に対向する出射面２７ｂとを有している。周囲光Ｌは、入射面２６ａから入光部２６の内部に入射し、反射層２５で反射され、導光部２７によって撮像素子２３に導かれる。
【００１２】
ケース体２２は、底壁部２２ａと、円筒状の側壁部２２ｂとからなり、側壁部２２ｂに光学部材２１が固定されている。撮像素子２３は回路基板２４上に実装され、ケース体２２の底壁部２２ｂに固定されている。光学部材２１の上面は、樹脂からなる蓋体２８に覆われている。
【００１３】
視覚センサ１０は、少なくとも二輪車の左後方及び右後方を撮像できるように、二輪車の後部に配設されている（図３参照）。視覚センサ１０によって撮像された画像は、表示器１３に表示される。表示器１３は、二輪車用計器３０の速度計３１及び回転計３２の下方に配設されている（図４参照）。
【００１４】
操作器１１は、上下左右に操作可能な操作レバー３５を有している（図５参照）。制御部１２は、操作レバー３５が左側に操作されたとき、左側ウインカー１４Ｌを点滅させると共に、視覚センサ１０で撮像した画像から左後方を含む領域ＳＬを切り出した表示範囲を表示器１３に表示させ、操作レバー３５が右側に操作されたとき、右側ウインカー１４Ｒを点滅させると共に、視覚センサ１０で撮像した画像から、右後方を含む領域ＳＲを切り出した表示範囲を表示器１３に表示させる。
【００１５】
また、制御部１２は、操作レバー３５が上側に操作されたときは、画像をズームイン（詳細表示）させ、操作レバー３５が下側に操作されたときは、画像をズームアウト（広域表示）させる。
【００１６】
本実施形態によれば、左側ウインカー１４Ｌ及び右側ウインカー１４Ｒからなる方向指示器を点滅させる操作器１１で、表示器１３に表示させる画像をズームイン／ズームアウトさせることができ、操作性が良好となる。
【図面の簡単な説明】
【００１７】
【図１】本発明の実施形態を示すブロック図。
【図２】同上実施形態を示す視覚センサの断面図。
【図３】同上実施形態を示す二輪車の上面図。
【図４】同上実施形態を示す二輪車用計器の正面図。
【図５】同上実施形態を示す操作器の正面図。
【符号の説明】
【００１８】
１０    視覚センサ（撮像手段）
１１    操作器（操作手段）
１２    制御部（制御手段）
１３    表示器（表示手段）
１４Ｌ  左ウインカー（方向指示器）
１４Ｒ  右ウインカー（方向指示器）
３５    操作レバー（操作部）
【図１】
2008284956.tif 000003
【図２】
2008284956.tif 000004
【図３】
2008284956.tif 000005
【図４】
2008284956.tif 000006
【図５】
2008284956.tif 000007